(57)【特許請求の範囲】
【請求項１】
枠体と、前記枠体に開閉可能に取り付けられる障子と、前記枠体および前記障子のうちの一方に取り付けられる開き抑制具とを備え、
前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、
前記係合部材は、前記枠体および前記障子のうちの一方である障子に取り付けられ、
前記保持部材は、樹脂製であり、前記係合部材を弾性変形状態で保持する保持部と、前記障子の角部を覆うキャップ部とを有して構成され、
前記保持部材は、火災時において前記係合部材の保持を解除し、
前記係合部材は、前記保持部材による保持の解除によって復元して前記枠体および前記障子のうちの他方である枠体と係合可能となる
ことを特徴とする建具。
【請求項２】
枠体と、前記枠体に開閉可能に取り付けられる障子と、前記枠体および前記障子のうちの一方に取り付けられる開き抑制具とを備え、
前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、
前記係合部材は、金属製の板ばね部材によって構成され、
前記板ばね部材は、前記障子に取り付けられる取付け片部と、前記取付け片部に連続する弾性変形可能な連続部と、前記連続部に連続する係合片部とを有して構成され、
前記保持部材は、前記連続部から離間した前記取付け片部および前記係合片部の両先端縁部を、前記連続部の弾性変形状態で保持し、
前記保持部材は、火災時において前記係合部材の保持を解除し、
前記係合片部の先端縁部は、前記係合部材が前記保持部材による保持の解除によって復元した状態で前記枠体および前記障子のうちの他方と係合可能な位置に配置される
ことを特徴とする建具。
【請求項３】
枠体と、前記枠体に開閉可能に取り付けられる障子と、前記枠体および前記障子のうちの一方に取り付けられる開き抑制具とを備え、
前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、
前記保持部材は、樹脂製であり、前記係合部材を弾性変形状態で保持する保持部と、前記障子の角部を覆うキャップ部とを有して構成され、
前記係合部材は、金属製の板ばね部材によって構成され、
前記板ばね部材は、前記障子に取り付けられる取付け片部と、前記取付け片部に連続する弾性変形可能な連続部と、前記連続部に連続する係合片部とを有して構成され、
前記保持部は、前記連続部から離間した前記取付け片部および前記係合片部の両先端縁部を、前記連続部の弾性変形状態で保持し、
前記保持部材は、火災時において前記係合部材の保持を解除し、
前記係合片部の先端縁部は、前記係合部材が前記保持部材による保持の解除によって復元した状態で前記枠体および前記障子のうちの他方と係合可能な位置に配置され、
前記保持部および前記キャップ部は、互いに交差する方向に延びて形成され、
前記開き抑制具の前記障子への取付け状態では、前記保持部は、前記障子の周縁方向に延びて配置されるとともに、前記キャップ部は、前記障子の見込み方向に延びて配置されて当該障子の角部に当接し、
前記取付け片部は、前記保持部による前記板ばね部材の保持状態で前記障子の周縁にビス止めされる
ことを特徴とする建具。
【請求項４】
請求項２または請求項３に記載の建具において、
前記係合片部には、ビス挿通孔が形成され、
前記取付け片部は、前記ビス挿通孔から挿通されたビスによって前記障子にビス止めされる
ことを特徴とする建具。
【請求項５】
請求項２から請求項４のいずれか一項に記載の建具において、
前記連続部は、断面略円弧状であって両端部を有して構成され、
前記連続部の両端部は、前記取付け片部および前記係合片部にそれぞれ連続し、
前記取付け片部および前記係合片部の先端縁部は、前記連続部よりも前記障子の開放方向側に配置される
ことを特徴とする建具。
【請求項６】
請求項２から請求項５のいずれか一項に記載の建具において、
前記枠体は、前記障子に向かって突出した係合部を有し、
前記係合部は、前記障子の閉鎖状態で前記障子に当接する気密材が装着可能に構成されるとともに、前記保持部材による保持が解除された状態で前記係合片部の先端縁部と係合可能な位置に配置される
ことを特徴とする建具。
【発明の詳細な説明】
【技術分野】
【０００１】
本発明は、火災時等における障子の開き抑制機能を備えた建具に関する。
【背景技術】
【０００２】
従来、建具として、窓枠と、障子と、火災時に閉戸姿勢に保持する閉戸ロック機構とを備えた外倒し窓が知られている（特許文献１参照）。閉戸ロック機構は、障子に固定される基体と、基体に支持される可動係止体と、可動係止体を起立方向に付勢するねじりコイルばねと、可動係止体を待機姿勢に保持するストッパとを備えている。可動係止体は、待機姿勢および起立姿勢間で揺動自由であり、起立姿勢で窓枠と係止可能である。ストッパは、基体、可動係止体およびねじりコイルばねよりも耐熱性の低い剛性樹脂またはフユーズメタルによって構成されている。
この外倒し窓では、火災時に周囲の温度が上昇すると、ストッパが軟化して可動係止体の保持状態が解除され、可動係止体はねじりコイルばねによって付勢されつつ起立姿勢となるまで揺動し、窓枠に係止される。これにより、障子が窓枠に係止され、閉戸姿勢が保持される。
【先行技術文献】
【特許文献】
【０００３】
【特許文献１】特開平４−２６６７７１号公報
【発明の概要】
【発明が解決しようとする課題】
【０００４】
ところで、特許文献１に記載の外倒し窓では、閉戸ロック機構が、基体と、可動係止体と、ねじりコイルばねと、ストッパとによって構成されており、特に、窓枠に係止される可動係止体がねじりコイルばねと別部材によって構成されているため、部品点数が多く、構成の簡略化や製造コストの削減を図り難い。
なお、ストッパの軟化ではなく、温度感知式の感知機（ヒューズラッチなど）を用いて、可動係止体の保持状態を温度上昇時に解除する構成も考えられるが、感知機が誤作動するおそれがあり、また、感知機自体が高価であるために製造コストの削減を図り難い。
【０００５】
本発明の目的は、構成を簡略化でき、製造コストを削減できる障子の開き抑制機能を備えた建具を提供することにある。
【課題を解決するための手段】
【０００８】
本発明の建具は、枠体と、前記枠体に開閉可能に取り付けられる障子と、前記枠体および前記障子のうちの一方に取り付けられる開き抑制具とを備え、前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、前記係合部材は、前記枠体および前記障子のうちの一方である障子に取り付けられ、前記保持部材は、樹脂製であり、前記係合部材を弾性変形状態で保持する保持部と、前記障子の角部を覆うキャップ部とを有して構成され、前記保持部材は、火災時において前記係合部材の保持を解除し、前記係合部材は、前記保持部材による保持の解除によって復元して前記枠体および前記障子のうちの他方である枠体と係合可能となることが好ましい。
本発明の建具によれば、保持部材が、係合部材を弾性変形して枠体および前記障子のうちの他方と非係合状態で保持するため、火災時に保持部材が係合部材の保持を解除すると、係合部材が復元しつつ、枠体および障子のうちの他方と係合可能状態となり、障子の開放を抑制する。これにより、障子の温度上昇による変形などによって、枠体および障子間の隙間が拡がって火炎等が通る大きな貫通孔が形成されることを抑制できる。
また、特許文献１に記載の外倒し窓における閉戸ロック機構では、可動係止体をこれとは別体であるねじりコイルばねによって付勢して構成されるのに対し、本発明の建具では、係合部材自体が枠体および障子のうちの他方と係合可能に位置するため、前述した可動係止体とねじりコイルばねとを別体で備える必要がなく、部品点数の削減、構成の簡略化を図ることができる。
さらに、このような構成によれば、保持部材が障子の角部を覆うキャップ部を有するため、平常時には障子の角部を覆う樹脂キャップとして開き抑制具を利用できる。他方、火災時には、保持部材による保持が解除されて復元する係合部材を枠体および前記障子のうちの他方と係合可能とし、障子の開放を抑制できる。このように、平常時における樹脂キャップとしての機能と、火災時における障子の開放抑制機能との二つの機能を開き抑制具に発揮させることができる。
また、係合部材を保持する専用部品と障子の角部を覆うキャップ部品とを別個に用意する必要がなく、構成の簡略化、施工性の向上を図ることができる。さらに、既設のキャップ部品を前述した開き抑制具と交換することで、既存設備を有効に利用できる。
【０００９】
本発明の建具は、枠体と、前記枠体に開閉可能に取り付けられる障子と、前記枠体および前記障子のうちの一方に取り付けられる開き抑制具とを備え、前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、前記係合部材は、金属製の板ばね部材によって構成され、前記板ばね部材は、前記障子に取り付けられる取付け片部と、前記取付け片部に連続する弾性変形可能な連続部と、前記連続部に連続する係合片部とを有して構成され、前記保持部材は、前記連続部から離間した前記取付け片部および前記係合片部の両先端縁部を、前記連続部の弾性変形状態で保持し、前記保持部材は、火災時において前記係合部材の保持を解除し、前記係合片部の先端縁部は、前記係合部材が前記保持部材による保持の解除によって復元した状態で前記枠体および前記障子のうちの他方と係合可能な位置に配置されることが好ましい。
本発明の建具によれば、保持部材が、係合部材を弾性変形して枠体および前記障子のうちの他方と非係合状態で保持するため、火災時に保持部材が係合部材の保持を解除すると、係合部材が復元しつつ、枠体および障子のうちの他方と係合可能状態となり、障子の開放を抑制する。これにより、障子の温度上昇による変形などによって、枠体および障子間の隙間が拡がって火炎等が通る大きな貫通孔が形成されることを抑制できる。
また、特許文献１に記載の外倒し窓における閉戸ロック機構では、可動係止体をこれとは別体であるねじりコイルばねによって付勢して構成されるのに対し、本発明の建具では、係合部材自体が枠体および障子のうちの他方と係合可能に位置するため、前述した可動係止体とねじりコイルばねとを別体で備える必要がなく、部品点数の削減、構成の簡略化を図ることができる。
さらに、このような構成によれば、保持部材が、弾性変形可能な連続部から離間した取付け片部および係合片部の両先端縁部を保持するため、例えば取付け片部および係合片部の両先端縁部よりも連続部側の位置で保持する場合と比べ、保持部材に常時加えられる板ばね部材の復元力を小さくでき、板ばね部材の保持状態を安定させることができる。
【００１０】
本発明の建具は、枠体と、前記枠体に開閉可能に取り付けられる障子と、前記枠体および前記障子のうちの一方に取り付けられる開き抑制具とを備え、前記開き抑制具は、前記枠体および前記障子のうちの他方と係合する弾性変形可能な係合部材と、前記係合部材を弾性変形して前記枠体および前記障子のうちの他方と非係合状態で保持する保持部材とを備えて構成され、前記保持部材は、樹脂製であり、前記係合部材を弾性変形状態で保持する保持部と、前記障子の角部を覆うキャップ部とを有して構成され、前記係合部材は、金属製の板ばね部材によって構成され、前記板ばね部材は、前記障子に取り付けられる取付け片部と、前記取付け片部に連続する弾性変形可能な連続部と、前記連続部に連続する係合片部とを有して構成され、前記保持部は、前記連続部から離間した前記取付け片部および前記係合片部の両先端縁部を、前記連続部の弾性変形状態で保持し、前記保持部材は、火災時において前記係合部材の保持を解除し、前記係合片部の先端縁部は、前記係合部材が前記保持部材による保持の解除によって復元した状態で前記枠体および前記障子のうちの他方と係合可能な位置に配置され、前記保持部および前記キャップ部は、互いに交差する方向に延びて形成され、前記開き抑制具の前記障子への取付け状態では、前記保持部は、前記障子の周縁方向に延びて配置されるとともに、前記キャップ部は、前記障子の見込み方向に延びて配置されて当該障子の角部に当接し、前記取付け片部は、前記保持部による前記板ばね部材の保持状態で前記障子の周縁にビス止めされることが好ましい。
本発明の建具によれば、保持部材が、係合部材を弾性変形して枠体および前記障子のうちの他方と非係合状態で保持するため、火災時に保持部材が係合部材の保持を解除すると、係合部材が復元しつつ、枠体および障子のうちの他方と係合可能状態となり、障子の開放を抑制する。これにより、障子の温度上昇による変形などによって、枠体および障子間の隙間が拡がって火炎等が通る大きな貫通孔が形成されることを抑制できる。
また、特許文献１に記載の外倒し窓における閉戸ロック機構では、可動係止体をこれとは別体であるねじりコイルばねによって付勢して構成されるのに対し、本発明の建具では、係合部材自体が枠体および障子のうちの他方と係合可能に位置するため、前述した可動係止体とねじりコイルばねとを別体で備える必要がなく、部品点数の削減、構成の簡略化を図ることができる。
さらに、このような構成によれば、開き抑制具の障子への取付け状態では、保持部は、障子の周縁方向に延びて配置されるとともに、キャップ部は、障子の見込み方向に延びて配置されて当該障子の角部に当接するため、保持部に保持されて障子の周縁にビス止めされる板ばね部材は、その回転などの揺動が保持部材によって抑制される。このため、板ばね部材を複数のビスによってビス止めする必要がなく、一本のビスによって板ばね部材を揺動不能にビス止めでき、施工性を向上できる。
また、保持部を障子の周縁方向に延びて配置し、キャップ部を障子の見込み方向に延びて配置するので、互いに交差する二方向において保持部材の障子に対する位置決めを正確に行うことができる。
【００１１】
本発明の建具では、前記係合片部には、ビス挿通孔が形成され、前記取付け片部は、前記ビス挿通孔から挿通されたビスによって前記障子にビス止めされることが好ましい。
このような構成によれば、係合片部のビス挿通孔からビスを挿通して取付け片部を障子にビス止めでき、施工性を向上できる。
【００１２】
本発明の建具では、前記連続部は、断面略円弧状であって両端部を有して構成され、前記連続部の両端部は、前記取付け片部および前記係合片部にそれぞれ連続し、前記取付け片部および前記係合片部の先端縁部は、前記連続部よりも前記障子の開放方向側に配置されることが好ましい。
このような構成によれば、取付け片部および係合片部の先端縁部が、連続部よりも障子の開放方向側に配置されるため、板ばね部材の復元状態では、連続部の両端部が離間して位置し、取付け片部および係合片部の両先端縁部側が連続部側よりも拡がった形状となる。このため、障子が開放方向に移動しようとした場合には、係合片部が枠体と係合し、枠体側に拡げられる力が加わることで、枠体および障子間で引っかかった状態となり、障子の開放をさらに確実に抑制できる。
【００１３】
本発明の建具では、前記枠体は、前記障子に向かって突出した係合部を有し、前記係合部は、前記障子の閉鎖状態で前記障子に当接する気密材が装着可能に構成されるとともに、前記保持部材による保持が解除された状態で前記係合片部の先端縁部と係合可能な位置に配置されることが好ましい。
このような構成によれば、気密材が装着される部分を開き抑制具との係合部として構成でき、構成の簡略化を図ることができる。
【発明の効果】
【００１４】
本発明によれば、構成を簡略化でき、製造コストを削減できる障子の開き抑制機能を備えた建具を提供できる。
【図面の簡単な説明】
【００１５】
【図１】本発明の実施形態に係る建具を示す内観姿図である。
【図２】前記実施形態に係る建具の要部を示す横断面図である。
【図３】前記実施形態に係る建具の要部を示す斜視図である。
【図４】前記実施形態に係る建具の開き抑制具の平常状態を示す分解斜視図である。
【図５】前記実施形態に係る建具の板ばね部材の表側を示す斜視図である。
【図６】前記実施形態に係る建具の板ばね部材の裏側を示す斜視図である。
【図７】前記実施形態に係る建具の保持部材の表側を示す斜視図である。
【図８】前記実施形態に係る建具の保持部材の裏側を示す斜視図である。
【図９】前記実施形態に係る建具の開き抑制具の作動状態を示す横断面図である。
【図１０】前記実施形態に係る建具の開き抑制具の係合状態を示す横断面図である。
【発明を実施するための形態】
【００１６】
［本実施形態の構成］
以下、本発明の実施形態を図面に基づいて説明する。
図１〜４において、本実施形態に係る建具である縦すべり出し窓１は、建物の躯体に取り付けられる窓枠２（枠体）と、窓枠２内に配置される障子３と、火災時などの周囲の温度上昇時において障子３の開放を抑制する開き抑制具４（４Ａ，４Ｂ）とを備えている。
【００１７】
窓枠２は、アルミ押出形材によって形成された上枠２１、下枠２２および左右の縦枠２３，２４を枠組みして構成されている。上枠２１、下枠２２は一般的な枠材によって形成されている。
戸先側の縦枠２３は、図２に示すように、見込み片部２３１、室内側見付け片部２３２、固定見付け片部２３３を有して構成されている。
【００１８】
見込み片部２３１の障子３側には、室内側見付け片部２３２が連続しており、見込み片部２３１の障子３側とは反対側には、固定見付け片部２３３が連続している。見込み片部２３１の室外端寄りの位置には、障子３に向かって突出した係合部２３４が形成されている。室内側見付け片部２３２および係合部２３４の先端には気密材５がそれぞれ装着されている。障子３の閉鎖状態では、室内側見付け片部２３２の気密材５は後述する縦框３３の室内側見付け片部３３３に当接し、係合部２３４の気密材５は後述する縦框３３の室外側見付け片部３３１に当接する。
なお、吊元側の縦枠２４は、縦枠２３を左右反転した構成とされている。
【００１９】
障子３は、アルミ押出形材によって形成された上框３１、下框３２および左右の縦框３３，３４およびガラスパネル３５（面材）を框組みして構成されている。上框３１、下框３２は一般的な框材によって形成されている。
戸先側の縦框３３は、図２〜４に示すように、室外側見付け片部３３１、見込み片部３３２、室内側見付け片部３３３、連結片部３３４を有して構成されている。
【００２０】
室外側見付け片部３３１と室内側見付け片部３３３とは、見込み片部３３２および連結片部３３４によって連結されている。見込み片部３３２は連結片部３３４よりも見付け方向外側に位置している。室外側見付け片部３３１は、見込み片部３３２よりも見付け方向外側に延出した延出部分を有して形成されており、障子３の閉鎖状態では、この延出部分で係合部２３４に装着された気密材５に当接する。
【００２１】
見込み片部３３２の上下両端は、上框３１および下框３２の端部を覆って位置している。見込み片部３３２の外面には、当該見込み片部３３２に沿って延びた二本の突条３６Ａ，３６Ｂと、突条３６Ａ，３６Ｂ間に位置するとともに見込み片部３３２に沿って上下に延びた肉厚部３７とが形成されている。
肉厚部３７において縦框３３の上端部近傍には、開き抑制具４Ａを取り付けるための螺合孔３７１が形成されている。また、肉厚部３７の下部には、開き抑制具４Ｂを取り付けるための螺合孔（図示省略）が、螺合孔３７１と同様に形成されている。
なお、吊元側の縦框３４は、縦框３３を左右反転した構成とされている。
【００２２】
開き抑制具４Ａは、戸先側の縦框３３の上部に配置され、開き抑制具４Ｂは縦框３３の下部に配置されている。開き抑制具４Ｂは、開き抑制具４Ａを上下反転した構成とされているので、その詳細な説明を省略する。
開き抑制具４Ａは、弾性変形可能な係合部材である金属製（本実施形態ではステンレス製）の板ばね部材４０と、板ばね部材４０よりも融点の低い樹脂製の保持部材５０とを備えて構成されている。
【００２３】
板ばね部材４０は、図５，６に示すように、障子３に取り付けられる取付け片部４１と、取付け片部４１に連続する弾性変形可能な連続部４２と、連続部４２に連続する係合片部４３とを一体に有して構成されている。
なお、図５，６では、連続部４２が弾性変形した状態であって係合片部４３が取付け片部４１に沿って位置した状態における板ばね部材４０を示している。
【００２４】
取付け片部４１は、矩形板状であり、取付け用のビス６のねじ部が挿通される一つの取付孔４１１が形成されている。また、取付け片部４１の見込み片部３３２側の面には、保持部材５０に係合する二つの係合突起４１２が切起こしによって形成されている。
【００２５】
連続部４２は、断面略円弧状であって両端部を有して構成されており、その一端には、取付け片部４１の室内側に位置する基端縁部４１３が連続しており、その他端には、係合片部４３の室内側に位置する基端縁部４３３が連続している。
【００２６】
係合片部４３は、矩形板状であり、その室外側に位置する先端縁部４３１が取付け片部４１に折曲され、さらに先端縁部４３１の先端が連続部４２側に折曲されている。このように先端縁部４３１が折曲されることで、連続部４２の弾性変形時に係合片部４３が取付け片部４１に過度に接近することを抑制可能な構成となっている。また、係合片部４３には、ビス６の全体（頭部、ねじ部）が挿通可能な挿通孔４３２（ビス挿通孔）が形成されている。
【００２７】
この板ばね部材４０が保持部材５０に保持された状態では、図２に示すように、連続部４２は弾性変形して円弧形状が小さくされてその両端部が接近した状態となり、係合片部４３は取付け片部４１と重なって位置し、係合片部４３の先端縁部４３１は取付け片部４１の先端縁部４１４に近接して位置する。
また、板ばね部材４０が復元した復元状態では、図９に示すように、連続部４２の円弧形状が大きくなってその両端部が離間した状態となり、係合片部４３の先端縁部４３１が取付け片部４１の先端縁部４１４から離間して位置する。
【００２８】
保持部材５０は、図７，８に示すように、板ばね部材４０を弾性変形して係合部２３４と非係合状態で保持する保持部５１と、障子３の角部を覆うキャップ部５２とを一体に有して構成されている。
【００２９】
保持部５１は、一対の保持片部５１１，５１２と、保持片部５１１，５１２の側縁を連結している連結片部５１３と、保持片部５１１，５１２および連結片部５１３の下方の端部に連続している端板部５１４とを有して構成されている。保持片部５１１，５１２、連結片部５１３および端板部５１４は、板ばね部材４０の取付け片部４１および係合片部４３の先端縁部４１４，４３１が収容される収容空間５１６を形成している。保持片部５１１には、取付け片部４１の二つの係合突起４１２が係合する二つの係合孔５１５が形成されている。保持片部５１１は、板ばね部材４０の収容空間５１６への差込みが容易となるように、保持片部５１２の幅寸法よりも小さい幅寸法を有して形成されている。この保持部５１は、縦框３３の長手方向に沿って延びており、その上方の端部はキャップ部５２に連続している。
キャップ部５２は、縦框３３の見込み方向に沿って延びており、縦框３３の上端に当接する段部５２１を有して構成されている。
【００３０】
［開き抑制具の施工］
以下、開き抑制具４Ａの施工手順について説明する。
先ず、開き抑制具４Ａを組み立てる。具体的には、板ばね部材４０を弾性変形して取付け片部４１および係合片部４３が互いに近接した状態とし、これらの先端縁部４１４，４３１を保持部材５０の収容空間５１６に収容し、各係合突起４１２を各係合孔５１５に係合する。これにより、保持片部５１１が取付け片部４１を保持し、かつ保持片部５１２が係合片部４３を保持した状態を形成する。ここで、板ばね部材４０には、弾性変形状態から元形状に復元する力が生じるため、取付け片部４１は保持片部５１１に圧接するとともに、係合片部４３は保持片部５１２に圧接する。このため、係合突起４１２と係合孔５１５との係合状態は維持され、板ばね部材４０は保持部材５０から脱落しない状態となる。また、先端縁部４１４，４３１は連結片部５１３に当接し、これにより、板ばね部材４０が保持状態で回転などの揺動が抑制される。このようにして開き抑制具４Ａを組み立てる。
なお、板ばね部材４０が保持部材５０に保持された状態において、先端縁部４１４，４３１間には若干の隙間が形成されている。このため、板ばね部材４０を弾性変形して取付け片部４１を係合片部４３にさらに近接し、係合突起４１２を係合孔５１５から抜き出すことで、板ばね部材４０を保持部材５０から取り外すこともできる。
【００３１】
次に、開き抑制具４Ａを縦框３３に取り付ける。具体的には、保持部５１の保持片部５１１を縦框３３の長手方向に沿った状態で突条３６Ａおよび肉厚部３７間に嵌め込み、キャップ部５２の段部５２１を縦框３３の見込み方向に沿った状態で当該縦框３３の上端に当接する。つづいて、ビス６を挿通孔４３２を通して取付孔４１１に挿入し、螺合孔３７１に螺合して取付け片部４１を突条３６Ｂおよび肉厚部３７に当接させる。このようにして開き抑制具４Ａを縦框３３に取り付ける。
開き抑制具４Ａの取付け状態では、キャップ部５２は、上框３１および縦框３３によって形成される角部を覆って配置され、板ばね部材４０の各先端縁部４１４，４３１は連続部４２よりも室外側に配置される。
このようにして、開き抑制具４Ａを施工する。なお、開き抑制具４Ｂも開き抑制具４Ａと同手順で施工する。
【００３２】
［本実施形態の動作］
以下、本実施形態に係る縦すべり出し窓１の火災時における動作を説明する。
例えば室外側で火災が発生した場合には、縦すべり出し窓１の周囲温度が上昇し、これを受けて、開き抑制具４Ａの保持部材５０が２００℃〜２５０℃にまで温度上昇すると、保持部材５０は軟化する。この軟化に基づき、非係合状態にある板ばね部材４０の各先端縁部４１４，４３１に対する保持部５１での保持が外れ、図９に示すように板ばね部材４０は元形状に復元する。この際、係合片部４３の先端縁部４３１は、縦枠２３の見込み方向において係合部２３４と向かい合って位置し、係合可能状態となる。なお、さらなる温度上昇により保持部材５０は融点に達して溶融し、消失する。
さらなる温度上昇により、障子３に反りが発生することなどによって当該障子３が開放方向に移動する場合には、図１０に示すように、係合片部４３の先端縁部４３１が係合部２３４と係合し、障子３が開くことを抑制する。
このようにして、火災時における障子３の開放を抑制する。なお、開き抑制具４Ｂも、開き抑制具４Ａと同様に動作する。
【００３３】
［本実施形態の効果］
（１）保持部材５０が、板ばね部材４０を弾性変形して係合部２３４と非係合状態で保持するため、火災時に保持部材５０が板ばね部材４０の保持を解除すると、板ばね部材４０が復元しつつ、係合部２３４と係合可能状態となり、障子３の開放を抑制する。これにより、障子３の温度上昇による変形などによって、窓枠２および障子３間の隙間が拡がって火炎等が通る大きな貫通孔が形成されることを抑制できる。
また、板ばね部材４０自体が係合部２３４と係合可能に位置するため、板ばね部材４０のほかに、係合部２３４と係合可能な部材を備える必要がなく、部品点数の削減、構成の簡略化を図ることができる。
（２）保持部材５０が障子３の角部を覆うキャップ部５２を有するため、平常時には障子３の角部を覆う樹脂キャップとして開き抑制具４Ａ，４Ｂを利用できる。他方、火災時には、保持部材５０による保持が解除されて復元する板ばね部材４０を係合部２３４と係合可能とし、障子３の開放を抑制できる。このように、平常時における樹脂キャップとしての機能と、火災時における障子３の開放抑制機能との二つの機能を開き抑制具４Ａ，４Ｂに発揮させることができる。
また、板ばね部材４０を保持する専用部品と障子３の角部を覆うキャップ部品とを別個に用意する必要がなく、構成の簡略化、施工性の向上を図ることができる。さらに、既設のキャップ部品を前述した開き抑制具４Ａ，４Ｂと交換することで、既存設備を有効に利用できる。
（３）保持部材５０が、弾性変形可能な連続部４２から離間した取付け片部４１および係合片部４３の両先端縁部４１４，４３１を保持するため、例えば取付け片部４１および係合片部４３の両先端縁部４１４，４３１よりも連続部４２側の位置で保持する場合と比べ、保持部材５０に常時加えられる板ばね部材４０の復元力を小さくでき、板ばね部材４０の保持状態を安定させることができる。
（４）開き抑制具４Ａ，４Ｂの障子３への取付け状態では、保持部５１は、縦框３３に沿う方向（障子３の周縁方向）に延びて配置されるとともに、キャップ部５２は、障子３の見込み方向に延びて配置されて当該障子３の戸先側の角部に当接するため、保持部５１に保持されて縦框３３にビス止めされる板ばね部材４０は、その回転などの揺動が保持部材５０によって抑制される。このため、板ばね部材４０を複数のビスによってビス止めする必要がなく、一本のビス６によって板ばね部材４０を揺動不能にビス止めでき、施工性を向上できる。
また、保持部５１を縦框３３の長手方向に延びて配置し、キャップ部５２を障子３の見込み方向に延びて配置するので、互いに交差する二方向において保持部材５０の障子３に対する位置決めを正確に行うことができる。
（５）係合片部４３に挿通孔４３２が形成されているため、取付け片部４１よりも縦框３３の見付け方向外側に係合片部４３が位置しても、挿通孔４３２からビス６を挿通して取付け片部４１を縦框３３にビス止めでき、施工性を向上できる。
（６）取付け片部４１および係合片部４３の先端縁部４１４，４３１が、連続部４２よりも障子３の開放方向側に配置されるため、板ばね部材４０の復元状態では、連続部４２の両端部が離間して位置し、取付け片部４１および係合片部４３の両先端縁部４１４，４３１側が連続部４２側よりも拡がった形状となる。このため、障子３が開放方向に移動しようとした場合には、係合片部４３が係合部２３４と係合し、縦枠２３側に拡げられる力が加わることで、縦枠２３および縦框３３間で引っかかった状態となり、障子３の開放をさらに確実に抑制できる。
（７）気密材５が装着される部分である係合部２３４を、開き抑制具４と係合する部分として構成でき、構成の簡略化を図ることができる。
【００３４】
［変形例］
本発明は、以上の実施形態で説明した構成のものに限定されず、本発明の目的を達成できる範囲での変形例は、本発明に含まれる。
例えば、前記実施形態では、保持部材５０は、キャップ部５２を有して構成されているが、この構成を省略してもよい。
また、キャップ部５２を省略した場合には、開き抑制具４Ａ，４Ｂは、縦枠２３に取り付けられ、係合部２３４は縦枠２３ではなく縦框３３に形成されてもよい。この場合、開き抑制具４Ａ，４Ｂは縦枠２３の見込み方向において逆向きに配置されてもよい。
【００３５】
前記実施形態では、板ばね部材４０は一本のビス６によって縦框３３にビス止めされているが、これに限定されず、複数本のビスによってビス止めされていてもよい。
【００３６】
前記実施形態では、保持部材５０は、取付け片部４１および係合片部４３の先端縁部４１４，４３１を保持する構成とされたが、これに限定されず、例えば、先端縁部４１４，４３１と基端縁部４１３，４３３との間の部分を保持する構成とされてもよい。
【００３７】
前記実施形態では、係合片部４３に挿通孔４３２が形成されているが、この構成が省略されていてもよい。
【００３８】
前記実施形態では、連続部４２は断面円弧状に形成されているが、この形状に限定されず、板ばね部材４０の弾性変形および復元変形が可能な形状であればよい。従って、例えば、断面コ字形状であってもよく、また、断面Ｖ字形状であってもよい。
【００３９】
前記実施形態では、取付け片部４１および係合片部４３の両先端縁部４１４，４３１は、連続部４２よりも障子３の開放方向側（本実施形態では室外側）に配置されるのが好ましいが、この配置とは逆に、先端縁部４１４，４３１が連続部４２よりも障子３の閉鎖方向側（本実施形態では室内側）に配置されてもよい。
【００４０】
前記実施形態では、建具として縦すべり出し窓１を説明したが、このほかにも、外開き窓、内開き窓、外倒し窓、内倒し窓、突出し窓等の各種の開き窓などを建具とすることができる。
【符号の説明】
【００４１】
１…縦すべり出し窓（建具）、２…窓枠（枠体）、３…障子、４（４Ａ，４Ｂ）…開き抑制具、５…気密材、６…ビス、２１…上枠、２２…下枠、２３，２４…縦枠、３１…上框、３２…下框、３３，３４…縦框、３５…ガラスパネル、３６Ａ，３６Ｂ…突条、３７…肉厚部、４０…板ばね部材、４１…取付け片部、４２…連続部、４３…係合片部、５０…保持部材、５１…保持部、５２…キャップ部、２３１，３３２…見込み片部、２３２，３３３…室内側見付け片部、２３３…固定見付け片部、２３４…係合部、３３１…室外側見付け片部、３３４…連結片部、３７１…螺合孔、４１１…取付孔、４１２…係合突起、４１３，４３３…基端縁部、４１４，４３１…先端縁部、４３２…挿通孔、５１１，５１２…保持片部、５１３…連結片部、５１４…端板部、５１５…係合孔、５１６…収容空間、５２１…段部。
【図１】
0006426979.tif 000002
【図２】
0006426979.tif 000003
【図３】
0006426979.tif 000004
【図４】
0006426979.tif 000005
【図５】
0006426979.tif 000006
【図６】
0006426979.tif 000007
【図７】
0006426979.tif 000008
【図８】
0006426979.tif 000009
【図９】
0006426979.tif 000010
【図１０】
0006426979.tif 000011